(57)【要約】      （修正有）【課題】アンロード時の再着磁によりその磁区状態を回復させ特性を復活させることができる磁気ディスクドライブ装置。【解決手段】磁気ディスクと、ランプ機構と、ＭＲ読出しヘッド素子を有する１対の磁気ヘッドスライダと、ロード時に１対の磁気ヘッドスライダを磁気ディスクの表面及び裏面にそれぞれ対向させると共に、アンロード時に磁気ヘッドスライダをランプ機構に退避させるロード／アンロード手段とを備えた磁気ディスクドライブ装置である。ランプ機構は、アンロード時に１対の磁気ヘッドスライダを互いに対向した状態で待機させるヘッド待機部と、閉ループ状の磁界を発生する１対の永久磁石とを有しており、１対の永久磁石からの閉ループ状の磁界がヘッド待機部に待機している１対の磁気ヘッドスライダにそれぞれ印加されるように構成されており、印加される磁界の方向が１対の磁気ヘッドスライダのトラック幅方向でありかつ互いに逆の方向である。【選択図】図２
2008165954.tif 000002
【特許請求の範囲】
【請求項１】
磁気ディスクと、ランプ機構と、磁気抵抗効果読出しヘッド素子を有する１対の磁気ヘッドスライダと、ロード時に該１対の磁気ヘッドスライダを前記磁気ディスクの表面及び裏面にそれぞれ対向させると共に、アンロード時に該１対の磁気ヘッドスライダを前記ランプ機構に退避させるロード／アンロード手段とを備えており、
前記ランプ機構が、アンロード時に前記１対の磁気ヘッドスライダを互いに対向した状態で待機させるヘッド待機部と、閉ループ状の磁界を発生する１対の永久磁石とを有しており、該１対の永久磁石からの閉ループ状の磁界が前記ヘッド待機部に待機している前記１対の磁気ヘッドスライダにそれぞれ印加されるように構成されており、該印加される磁界の方向が前記１対の磁気ヘッドスライダのトラック幅方向でありかつ互いに逆の方向であることを特徴とする磁気ディスクドライブ装置。
【請求項２】
前記閉ループ状の磁界が、一方の永久磁石における第１の磁極端面、前記ヘッド待機部に待機している一方の磁気ヘッドスライダ、他方の永久磁石における第１の磁極端面、該他方の永久磁石における前記第１の磁極端面とは反対側の第２の磁極端面、前記ヘッド待機部に待機している他方の磁気ヘッドスライダ、及び前記一方の永久磁石における前記第１の磁極端面とは反対側の第２の磁極端面を通る閉ループ状の磁界であることを特徴とする請求項１に記載の磁気ディスクドライブ装置。
【請求項３】
前記１対の永久磁石が、前記ヘッド待機部に待機している前記１対の磁気ヘッドスライダの浮上面と実質的に平行な磁極端面を有していることを特徴とする請求項１又は２に記載の磁気ディスクドライブ装置。
【請求項４】
前記１対の永久磁石が、前記ヘッド待機部に待機している前記１対の磁気ヘッドスライダの浮上面から該磁気ヘッドスライダ方向に傾斜した磁極端面を有していることを特徴とする請求項１又は２に記載の磁気ディスクドライブ装置。
【請求項５】
前記１対の永久磁石が、前記ランプ機構の内部に設けられていることを特徴とする請求項１から４のいずれか１項に記載の磁気ディスクドライブ装置。
【請求項６】
前記１対の永久磁石の前記ヘッド待機部とは反対側の位置にそれぞれ設けられており、該１対の永久磁石と平行に伸長する軟磁性部材をさらに備えていることを特徴とする請求項１から５のいずれか１項に記載の磁気ディスクドライブ装置。
【請求項７】
前記ランプ機構が、アンロード時に前記１対の磁気ヘッドスライダを前記ヘッド待機部へ案内する案内路をさらに備えていることを特徴とする請求項１から６のいずれか１項に記載の磁気ディスクドライブ装置。
【発明の詳細な説明】
【技術分野】
【０００１】
本発明は、複数の磁気ヘッドスライダを備えた磁気ディスクドライブ装置に関する。
【背景技術】
【０００２】
磁気ディスクドライブ装置は、一般に、単数又は複数の磁気ディスクと、磁気抵抗効果（ＭＲ）読出しヘッド素子及びインダクティブ書込みヘッド素子等からなる薄膜磁気ヘッドを各々が有する複数の磁気ヘッドスライダとを有しており、動作時には、２つの磁気ヘッドスライダが各磁気ディスクの表面及び裏面にそれぞれ対向するように構成されている。
【０００３】
この種の磁気ディスクドライブ装置には、外部からの衝撃に対する耐性を高めるために、非動作時に磁気ヘッドを磁気ディスク上から退避させ、動作時に磁気ヘッドを磁気ディスク上に戻すロード／アンロード機構を備えたものが存在する。
【０００４】
さらに、このようなロード／アンロード機構を有する磁気ディスクドライブ装置において、ＭＲ読出しヘッド素子のバルクハウゼンノイズの発生を抑制し、読出しエラーを低減させるために、アンロードされた磁気ヘッドに磁界を印加するものも存在する。特許文献１及び特許文献２には、ランプ部に磁界印加機構を設け、アンロードされた磁気ヘッドに磁界を印加することによって、読出しヘッド素子に再着磁する技術が開示されている。
【０００５】
【特許文献１】特開２００２−１５０５１０号公報
【特許文献２】米国特許公開２００６／００２３３６６号公報
【発明の開示】
【発明が解決しようとする課題】
【０００６】
しかしながら、特許文献１及び特許文献２に記載されている従来技術は、磁気ディスクの表面及び裏面にそれぞれ対向して動作する１対の磁気ヘッドスライダに対して同一方向に磁界を印加しているため、磁気ディスクの表面側に位置する磁気ヘッドと裏面側に位置する磁気ヘッドスライダとでは、互いに反対方向の磁界が印加されることとなる。このため、磁気ディスクの表面側と裏面側とに、磁化自由層の安定化する磁化方向が互いに逆となる磁気ヘッドを装着しておく必要があり、バイアス磁化方向の異なる２種類の磁気ヘッドを用意しなければならないことから、磁気ヘッドの汎用性が著しく損なわれる。
【０００７】
従って、本発明の目的は、磁化自由層のバイアス磁化方向が一方向に規定されている１種類の薄膜磁気ヘッドを有する磁気ヘッドスライダを用いた場合にも、アンロード時の再着磁によりその磁区状態を回復させ特性を復活させることができる磁気ディスクドライブ装置を提供することにある。
【課題を解決するための手段】
【０００８】
本発明によれば、磁気ディスクと、ランプ機構と、ＭＲ読出しヘッド素子を有する１対の磁気ヘッドスライダと、ロード時に１対の磁気ヘッドスライダを磁気ディスクの表面及び裏面にそれぞれ対向させると共に、アンロード時に１対の磁気ヘッドスライダをランプ機構に退避させるロード／アンロード手段とを備えた磁気ディスクドライブ装置が提供される。特に、本発明によれば、ランプ機構は、アンロード時に１対の磁気ヘッドスライダを互いに対向した状態で待機させるヘッド待機部と、閉ループ状の磁界を発生する１対の永久磁石とを有しており、１対の永久磁石からの閉ループ状の磁界がヘッド待機部に待機している１対の磁気ヘッドスライダにそれぞれ印加されるように構成されており、印加される磁界の方向が１対の磁気ヘッドスライダのトラック幅方向でありかつ互いに逆の方向である。
【０００９】
ランプ機構に設けられた１対の永久磁石からは、閉ループ状の磁界が発生せしめられ、この磁界は、ランプ機構のヘッド待機部に互いに対向した状態で待機している１対の磁気ヘッドスライダに印加されるが、その場合、磁界の方向が１対の磁気ヘッドスライダのトラック幅方向でありかつ互いに逆の方向である。即ち、各磁気ヘッドスライダにおいては、同じ方向に磁界が印加される。従って、１対の磁気ヘッドスライダとして、磁化自由層の磁化方向が一方向に規定されている１種類の薄膜磁気ヘッドを有する磁気ヘッドスライダを用いた場合にも、このランプ機構から印加される磁界によって磁区状態を回復させ特性を復活させることができる。
【００１０】
閉ループ状の磁界が、一方の永久磁石における第１の磁極端面、ヘッド待機部に待機している一方の磁気ヘッドスライダ、他方の永久磁石における第１の磁極端面、他方の永久磁石における第１の磁極端面とは反対側の第２の磁極端面、ヘッド待機部に待機している他方の磁気ヘッドスライダ、及び一方の永久磁石における第１の磁極端面とは反対側の第２の磁極端面を通る閉ループ状の磁界であることが好ましい。
【００１１】
１対の永久磁石が、ヘッド待機部に待機している１対の磁気ヘッドスライダの浮上面（ＡＢＳ）と実質的に平行な磁極端面を有していることも好ましい。
【００１２】
１対の永久磁石が、ヘッド待機部に待機している１対の磁気ヘッドスライダのＡＢＳから磁気ヘッドスライダ方向に傾斜した磁極端面を有していることも好ましい。磁極端面をこのように傾斜させることによって、トラック幅方向と実質的に平行な磁極端面の場合に比して約１．５倍の磁束密度の磁界を磁気ヘッドスライダに印加することが可能となる。
【００１３】
１対の永久磁石が、ランプ機構の内部に設けられていることも好ましい。
【００１４】
１対の永久磁石のヘッド待機部とは反対側の位置に、１対の永久磁石と平行に伸長する軟磁性部材がそれぞれ設けられていることも好ましい。このような軟磁性部材を設けることにより、磁気ディスク方向への漏洩磁界を低減させることが可能となる。
【００１５】
ランプ機構が、アンロード時に１対の磁気ヘッドスライダをヘッド待機部へ案内する案内路をさらに備えていることも好ましい。
【発明の効果】
【００１６】
本発明によれば、１対の磁気ヘッドスライダとして、磁化自由層の磁化方向が一方向に規定されている１種類の薄膜磁気ヘッドを有する磁気ヘッドスライダを用いた場合にも、このランプ機構から印加される磁界によって磁区状態を回復させ特性を復活させることができる。
【発明を実施するための最良の形態】
【００１７】
図１は本発明の一実施形態として、ロード／アンロード方式のハードディスクドライブ（ＨＤＤ）装置の全体構成を概略的に示している。
【００１８】
同図において、１０はＨＤＤのハウジング、１１はスピンドルモータにより軸１２を中心にして回転駆動される磁気ディスク、１３ａは先端部にサスペンション１４ａを介して薄膜磁気ヘッドを有する磁気ヘッドスライダ１５ａが装着されていると共に後端部にＶＣＭのコイル部が装着されており、水平回動軸１６を中心にして磁気ディスク１１の表面と平行に回動可能なヘッドアームアセンブリ（ＨＡＡ）、１７は磁気ディスク１１のデータ領域の外側の上方から磁気ディスク１１の外側に渡って設けられており、その傾斜した表面にＨＡＡ１３ａの最先端、従ってサスペンション１４ａの最先端に設けられたタブ１８ａが乗り上げてアンロード状態となるランプ機構、１９はＶＣＭのマグネット部をそれぞれ示している。なお、同図には明確に示されていないが、ＶＣＭによってＨＡＡ１３ａと同時に回動駆動され、磁気ディスク１１の裏面と平行に回動可能なＨＡＡ１３ｂ（図４参照）が設けられており、このＨＡＡ１３ｂの先端部にもサスペンション１４ｂ（図４参照）を介して磁気ヘッドスライダ１５ｂ（図４参照）が装着されており、最先端にタブ１８ｂ（図４参照）が設けられている。
【００１９】
磁気ヘッドスライダ１５ａ及び１５ｂの各々は、インダクティブ書込みヘッド素子と、巨大磁気抵抗効果（ＧＭＲ）読出しヘッド素子又はトンネル磁気抵抗効果（ＴＭＲ）読出しヘッド素子等のＭＲ読出しヘッド素子とからなる薄膜磁気ヘッドをその後端（トレーリングエッジ）面に備えている。
【００２０】
動作時（磁気ディスクの高速回転中）においては、磁気ヘッドスライダ１５ａ及び１５ｂは磁気ディスク１１の表面及び裏面にそれぞれ対向して低浮上量で浮上しており、ロード状態にある。一方、非動作時（磁気ディスクの停止中、起動及び停止時の低速回転中）においては、ＨＡＡ１３ａ及び１３ｂの先端部がランプ機構１７上にあり、従って磁気ヘッドスライダ１５ａ及び１５ｂはアンロード状態にある。
【００２１】
図２は本実施形態におけるランプ機構１７の一構成例を示しており、図３及び図４は本実施形態において磁気ヘッドスライダがアンロード位置に退避されている状態を説明している。なお、図２（Ａ）はこのランプ機構１７を上から（磁気ディスクの表面に向かって）見た平面を表しており、図４は図３を側方から見た側面を表している。
【００２２】
これらの図に示すように、ランプ機構１７は、磁気ディスク表面側のＨＡＡ１３ａのタブ１８ａがその上面を摺動することによって磁気ヘッドスライダ１５ａが案内されるタブ案内路１７０ａと、タブ案内路１７０ａによって案内された磁気ヘッドスライダ１５ａがアンロード時に待機するヘッド待機部１７１ａと、この磁気ディスク裏面側のＨＡＡ１３ｂのタブ１８ｂがその下面を摺動することによって磁気ヘッドスライダ１５ｂが案内されるタブ案内路１７０ｂと、タブ案内路１７０ｂによって案内された磁気ヘッドスライダ１５ｂがアンロード時に待機するヘッド待機部１７１ｂと、ヘッド待機部１７１ａ及び１７１ｂを挟んでその両側に互いに平行に設けられた１対の永久磁石１７２及び１７３とを備えている。
【００２３】
ランプ機構１７はその大部分が非磁性材料、例えばナイロン等の樹脂材料で形成されており、永久磁石１７２及び１７３はネオジウム磁石やサマリウムコバルト磁石等の小型で強力な永久磁石で形成されている。
【００２４】
タブ案内路１７０ａは、磁気ディスクの表面の近傍位置から斜めに立ち上がる第１の傾斜部１７０ａ１と、第１の傾斜部１７０ａ１に連続する第１の平坦部１７０ａ２と、第１の平坦部１７０ａ２に連続して斜めに立ち下がる第２の傾斜部１７０ａ３と、第２の傾斜部１７０ａ３に連続する第２の平坦部１７０ａ４と、第２の平坦部１７０ａ４に連続して斜めに立ち上がる第３の傾斜部１７０ａ５とを備えており、タブ案内路１７０ｂも同様の第１の傾斜部、第１の平坦部、第２の傾斜部、第２の平坦部１７０ｂ４、及び第３の傾斜部を備えている。タブ案内路１７０ａの第２の傾斜部１７０ａ３、第２の平坦部１７０ａ４及び第３の傾斜部１７０ａ５の手前側、即ちサスペンション１４ａ側、には待機部１７１ａが設けられており、同様に、タブ案内路１７０ｂの第２の傾斜部、第２の平坦部及び第３の傾斜部の手前側、即ちサスペンション１４ｂ側、には待機部１７１ｂが設けられている。
【００２５】
ヘッド待機部１７１ａ及び１７１ｂは、図２（Ｂ）に示されているように、ＨＡＡ１３ａ及び１３ｂのタブ１８ａ及び１８ｂがタブ案内路の第２の平坦部１７０ａ４及び１７０ｂ４に案内された時に、磁気ヘッドスライダ１５ａ及び１５ｂがそれぞれ待機するように凹状に形成されている。より詳しくは、ヘッド待機部１７１ａは、斜めに立ち下がる第１の傾斜部１７１ａ１と、この第１の傾斜部１７１ａ１に連続する平坦部１７１ａ２と、この平坦部１７１ａ２に連続しており斜めに立ち上がる第２の傾斜部１７１ａ３とを備えており、アンロード時に磁気ヘッドスライダ１５ａは平坦部１７１ａ２の上方にこれと平行に保持されて待機状態となる。ヘッド待機部１７１ｂも同様の第１の傾斜部、平坦部及び第２の傾斜部を備えており、アンロード時に磁気ヘッドスライダ１５ｂはこの平坦部の上方にこれと平行に保持されて待機状態となる。
【００２６】
１対の永久磁石１７２及び１７３は、ヘッド待機部１７１ａ及び１７１ｂを挟んで待機している磁気ヘッドスライダ１５ａ及び１５ｂのトラック幅方向の両側にそれぞれ互いに平行となるように設けられている。即ち、永久磁石１７２及び１７３の各々は磁極を結ぶ軸がヘッド待機部１７１ａ及び１７１ｂの平坦部と垂直の方向、従って待機している磁気ヘッドスライダ１５ａ及び１５ｂのＡＢＳと垂直な方向、となるように設けられている。
【００２７】
図５は本実施形態におけるアンロード動作を説明する図である。
【００２８】
同図に示すように、磁気ディスク１１上でロード状態にある磁気ヘッドスライダ１５ａ及び１５ｂ（Ａの状態）がアンロードされＨＡＡ１３ａ及び１３ｂが磁気ディスク１１の外方向に旋回することによって、ＨＡＡ１３ａ及び１３ｂのタブ１８ａ及び１８ｂがランプ機構１７のタブ案内路１７０ａ及び１７０ｂにそれぞれ乗り上げ、サスペンション１４ａ及び１４ｂの押圧力によってタブ１８ａ及び１８ｂが案内路に押し付けられながらその上を摺動して行く（Ｂ、Ｃの状態）。
【００２９】
タブ１８ａ及び１８ｂがタブ案内路１７０ａ及び１７０ｂの第２の平坦部に到達した時点でＨＡＡ１３ａ及び１３ｂの旋回が終了し、磁気ヘッドスライダ１５ａ及び１５ｂがヘッド待機部１７１ａ及び１７１ｂに留まってアンロードした待機状態となる（Ｄの状態）。
【００３０】
前述したように、１対の永久磁石１７２及び１７３は、磁極を結ぶ軸がヘッド待機部１７１ａ及び１７１ｂに待機している磁気ヘッドスライダ１５ａ及び１５ｂのＡＢＳと垂直な方向となるように設けられているため、これらの永久磁石１７２及び１７３からは、両方の永久磁石を通る閉ループ磁界ＣＬ（図５）が形成され、これが待機している磁気ヘッドスライダ１５ａ及び１５ｂに印加される。即ち、永久磁石１７２及び１７３からの磁界は、永久磁石１７２における下側の磁極端面→ヘッド待機部１７１ｂに待機している磁気ヘッドスライダ１５ｂ→永久磁石１７３における下側の磁極端面→永久磁石１７３における上側の磁極端面→ヘッド待機部１７１ａに待機している磁気ヘッドスライダ１５ａ→永久磁石１７２における上側の磁極端面を結ぶ閉ループを通ることとなる。このため、磁気ヘッドスライダ１５ａ及び１５ｂに対してトラック幅方向の磁界が印加されるので、その磁区状態が回復し、特性が復活する。しかも、本発明では、磁気ヘッドスライダ１５ａ及び１５ｂに対して、トラック幅方向の互いに逆の方向に磁界がそれぞれ印加されるので、これら磁気ヘッドスライダ１５ａ及び１５ｂとして、図５の矢印ＢＳに示すように、磁化自由層の磁化方向が一方向に規定されている１種類の薄膜磁気ヘッドを有する磁気ヘッドスライダを用いてその磁区状態を回復させ特性を復活させることが可能となる。また、このような閉ループ状の局所的な磁界を発生させているので、磁気ディスクに磁界が印加されて悪影響を及ぼす恐れもない。
【００３１】
本実施形態においては、特に、図２（Ｂ）に示されているように、永久磁石１７２及び１７３の磁極端面が、待機している磁気ヘッドスライダ１５ａ及び１５ｂ側に傾斜するように構成されている。即ち、本実施形態では、永久磁石１７２の一方の磁極端面がヘッド待機部１７１ａの第１の傾斜部１７１ａ１を構成しており、永久磁石１７３の一方の磁極端面がヘッド待機部１７１ａの第３の傾斜部１７１ａ３を構成している。同様に、永久磁石１７２の他方の磁極端面がヘッド待機部１７１ｂの第１の傾斜部を構成しており、永久磁石１７３の他方の磁極端面がヘッド待機部１７１ｂの第３の傾斜部を構成している。図６に示すように、永久磁石１７２及び１７３の磁極端面をこのように傾斜させることによって、ＡＢＳと実質的に平行な磁極端面を有する永久磁石を用いる場合に比して約１．５倍である磁束密度の磁界を磁気ヘッドスライダに印加することが可能となる。
【００３２】
図７は本発明の他の実施形態におけるランプ機構の一構成例を示している。本実施形態は、永久磁石からの一部の磁界を誘導する軟磁性部材を設けている点のみが図１〜６の実施形態と異なっており、その他の構成及び作用効果は図１〜６の実施形態の場合とほぼ同様である。従って、以下、相違点のみを説明する。ただし、本実施形態において、図１〜６の実施形態の場合と同様の構成要素には同じ参照番号を用いている。
【００３３】
図７に示すように、本実施形態のランプ機構１７′には、図１〜６の実施形態の構成に加えて、１対の永久磁石１７２及び１７３のヘッド待機部１７１ａ及び１７１ｂとは反対側の離隔した位置にこれら永久磁石１７２及び１７３と平行に伸長する軟磁性部材１７４及び１７５がそれぞれ設けられている。
【００３４】
これら軟磁性部材１７４及び１７５を設けることにより、永久磁石１７２及び１７３からの磁界の一部がこれら軟磁性部材１７４及び１７５に誘導され、その結果、磁気ディスク方向への漏洩磁界を低減させることが可能となる。図８に示すように、永久磁石１７２及び１７３のヘッド待機部１７１ａ及び１７１ｂとは反対側の位置に軟磁性部材１７４及び１７５を設けることによって、図１〜６の実施形態の場合より小さい磁束密度であるが、漏出磁界の小さい磁界を磁気ヘッドスライダに印加することが可能となる。
【００３５】
図９は本発明のさらに他の実施形態におけるランプ機構の一構成例を示している。本実施形態は、永久磁石の形状のみが図１〜６の実施形態と異なっており、その他の構成及び作用効果は図１〜６の実施形態の場合とほぼ同様である。従って、以下、相違点のみを説明する。ただし、本実施形態において、図１〜６の実施形態の場合と同様の構成要素には同じ参照番号を用いている。
【００３６】
図９に示すように、本実施形態のランプ機構１７″では、１対の永久磁石１７２″及び１７３″の各々の形状が直方体であり、これら永久磁石１７２″及び１７３″の磁極端面が待機している磁気ヘッドスライダ１５ａ及び１５ｂのＡＢＳと平行となるように構成されている。
【００３７】
このような永久磁石１７２″及び１７３″を用いた場合、磁気ヘッドスライダに印加される磁界は、図１０に示すようになり、図１〜６の実施形態の場合より小さい磁束密度となる。
【００３８】
なお、以上述べた実施形態は、単一の磁気ディスクと、ロード時にこの磁気ディスクの表面及び裏面に対向する１対の磁気ヘッドスライダとを有する磁気ディスクドライブ装置の場合であるが、本発明が、複数の磁気ディスクと、ロード時に複数の磁気ディスクの表面及び裏面にそれぞれ対向する複数対の磁気ヘッドスライダとを有する磁気ディスクドライブ装置についても同様に適用できることは明らかである。
【００３９】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００４０】
【図１】本発明の一実施形態として、ロード／アンロード方式の磁気ディスクドライブ装置の全体構成を概略的に示す平面図である。
【図２】図１の実施形態におけるランプ機構の一構成例を示す平面図及び斜視図である。
【図３】図１の実施形態において磁気ヘッドスライダがアンロード位置に退避されている状態を説明する平面図である。
【図４】図３を側方から見た側面図である。
【図５】図１の実施形態におけるアンロード動作を説明する側面図である。
【図６】図１の実施形態におけるループ状の磁界及びその磁束密度を説明する図である。
【図７】本発明の他の実施形態におけるランプ機構の一構成例を示す斜視図である。
【図８】図７の実施形態におけるループ状の磁界及びその磁束密度を説明する図である。
【図９】本発明のさらに他の実施形態におけるランプ機構の一構成例を示す斜視図である。
【図１０】図９の実施形態におけるループ状の磁界及びその磁束密度を説明する図である。
【符号の説明】
【００４１】
１０  ハウジング
１１  磁気ディスク
１２  軸
１３ａ、１３ｂ  ＨＡＡ
１４ａ、１４ｂ  サスペンション
１５ａ、１５ｂ  磁気ヘッドスライダ
１６  水平回動軸
１７、１７′、１７″  ランプ機構
１８ａ、１８ｂ  タブ
１９  ＶＣＭのマグネット部
１７０ａ、１７０ｂ  タブ案内路
１７１ａ、１７１ｂ  ヘッド待機部
１７２、１７３、１７２″、１７３″  永久磁石
１７０ａ１  第１の傾斜部
１７０ａ２  第１の平坦部
１７０ａ３  第２の傾斜部
１７０ａ４、１７０ｂ４  第２の平坦部
１７０ａ５  第３の傾斜部
【図１】
2008165954.tif 000003
【図２】
2008165954.tif 000004
【図３】
2008165954.tif 000005
【図４】
2008165954.tif 000006
【図５】
2008165954.tif 000007
【図６】
2008165954.tif 000008
【図７】
2008165954.tif 000009
【図８】
2008165954.tif 000010
【図９】
2008165954.tif 000011
【図１０】
2008165954.tif 000012